(57)【要約】【課題】  電子スチルカメラにて撮影された閃光発光撮影画像の周辺光量不足を補正し適正な露出画像に補正する。【解決手段】  撮像素子と、撮像素子より得られた撮影画像データを記憶する記憶手段と、主被写体画像の光量を測光する測光装置と、閃光発光装置と、撮影時の撮影情報を記憶する撮影情報記憶手段とを有するカメラと、前記カメラの撮影画像データの読み出し或いは、書き込みを行う通信手段と、前記カメラの撮影情報の読み出しを行う通信手段とを有する電子機器システムにおいて、前記カメラ側にて撮影された画像の撮影情報に基づいて画像の補正或いは、修正を行うことを特徴とする。【選択図】  図１
2005354167.tif 000002
【特許請求の範囲】
【請求項１】
撮像素子と、撮像素子より得られた撮影画像データを記憶する記憶手段と、主被写体画像の光量を測光する測光装置と、閃光発光装置と、撮影時の撮影情報を記憶する撮影情報記憶手段とを有するカメラと、前記カメラの撮影画像データの読み出し或いは、書き込みを行う通信手段と、前記カメラの撮影情報の読み出しを行う通信手段とを有する電子機器システムにおいて、前記カメラ側にて撮影された画像の撮影情報に基づいて画像の補正或いは、修正を行うことを特徴とする。
【請求項２】
請求項１において、前記撮影時の撮影情報記憶手段は、前記閃光発光装置の発光の有無を記憶する撮影情報記憶手段であることを特徴とする。
【請求項３】
請求項１において、前記撮影時の撮影情報記憶手段は、カメラの機種に対応するデータを記憶する撮影情報記憶手段であることを特徴とする。
【請求項４】
請求項１及び請求項２及び請求項３において、カメラの撮影画像データの通信手段を有する電子機器側にあらかじめ記憶してあるカメラ機種毎の閃光発光装置の照射配光情報或いは、照射配光及び発光量に基づく補正情報を記憶する閃光発光装置配光情報記憶手段を有し、機種毎に設定してある情報に基づいて前記閃光発光撮影画像の補正或いは、修正を行うことを特徴とする。
【請求項５】
請求項１〜請求項４の構成且つ、主被写体までの距離を測距する測距装置を有するカメラと、所定の複数の距離に対応したカメラの配光情報を記憶する配光情報記憶手段を有する電子機器システムにおいて、前記カメラの測距装置から得られた主被写体までの距離情報を通信し、前記距離情報に対応した閃光発光装置の配光特性情報に基づいて、撮影画像データの修正或るいは補正をかけることを特徴とする。
【請求項６】
請求項５の構成において、前記カメラの測距装置が、複数エリアの距離を測距する手段であり、前記各測距エリアの距離情報を通信することを特徴とする。
【請求項７】
請求項５及び請求項６において、前記請求項５記載の複数測距エリアの距離結果が主被写体であろうと判断された距離以外の測距エリアにおいて、距離情報が近い距離或いは遠い距離にある時、前記電子機器にて前記カメラ機種の配光情報記憶手段の情報に基づいて画像の補正或るいは修正することを特徴とする。
【請求項８】
請求項３の構成において、前記あらかじめ記憶する閃光発光装置の配光情報記憶手段に配光情報を記憶させる場合、カメラ主レンズの焦点が合う最至近端の配光から閃光発光装置の発光量が画像補正可能な光量範囲までの距離情報を記憶させることを特徴とする。
【請求項９】
前記全ての請求項に示すカメラ側の撮影情報記憶手段は、カメラに内蔵或いは取り替え可能な記憶手段であることを特徴とする。
【請求項１０】
前記全ての請求項に示すカメラ側の画像情報記憶手段は、書き換え可能な不揮発性メモリーであることを特徴とする。
【請求項１１】
請求項１〜請求項８記載のカメラ及び画像補正を行う電子機器の通信手段は、請求項９記載のカメラに取り替え可能な記憶手段やりとりにより達成されるものであることを特徴とする。
【請求項１２】
前記全ての請求項に示す記憶手段に記憶されたおのおのの撮影画像情報毎にカメラ撮影時の撮影情報を対応させることを特徴とする。
【発明の詳細な説明】
【技術分野】
【０００１】
電子スチルカメラ撮影画像の画像補正及び修正装置に関する。
【背景技術】
【０００２】
従来の銀塩フィルムを使用したカメラでは、画像修正及び補正はカメラ上では出来ず、画像補正を行うのは、特開平１１−３３１５７５に示すように、撮影画像を修正する場合フィルムを一旦現像しその後現像済フィルムに記録された画像を電子画像に変換し、それをパーソナルコンピュータ等画像修正機器で任意に修正を行い、電子画像ファイルとして取り扱っていた。
【０００３】
特開平５―１４５８３４では、閃光発光装置の投光が、被写体に及ぼした配光分布の偏倚を補正する為のデータ記憶手段をカメラ側に具備するように構成されている。
【０００４】
又、近年は、電子スチルカメラ（デジタルカメラ）の急速な普及により、電子画像ファイルは簡単にパーソナルコンピュータへ取り込むことが可能である。
【０００５】
この画像を任意に修正を行い、電子画像ファイルとして取り扱っている。
【発明の開示】
【発明が解決しようとする課題】
【０００６】
しかしながら、上記従来例特開平１１−３３１５７５では、フィルムに記憶させた画像情報を修正する際に一度スキャナー等で画像を電子化する様に構成されている為、カメラ側の撮影情報が明確ではなく、閃光発光撮影した際に各メーカ、機種毎にカメラ特有の配光特性をしめす為自動での周辺光量修正に手間がかかり一般ユーザーでは、簡単に画像修正を行うことが不可能であるという欠点がある。
【０００７】
もう一つの従来例特開平５―１４５８３４では、閃光発光装置の投光が、被写体に及ぼした配光分布の偏倚を補正する為のデータ記憶手段をカメラ側に具備するように構成されている為に記憶手段を占有する結果となる。且つ、カメラ側で全て画像の処理を行わなければならない為、画像処理回路及び画像処理ソフトが必ず必要となり、記憶手段、ＣＰＵ，処理時間（撮影時間又は補正時間）にコストと物理的な大きさが必要となり、カメラ本体の小型化の妨げとなるという欠点がある。
【課題を解決するための手段】
【０００８】
第１の発明は、撮像素子と、撮像素子より得られた撮影画像データを記憶する記憶手段と、主被写体画像の光量を測光する測光装置と、閃光発光装置と、撮影時の撮影情報を記憶する撮影情報記憶手段とを有するカメラと、前記カメラの撮影画像データの読み出し或いは、書き込みを行う通信手段と、前記カメラの撮影情報の読み出しを行う通信手段とを有する電子機器システムにおいて、前記カメラ側にて撮影された画像の撮影情報に基づいて画像の補正或いは、修正を行うように作用する。
【０００９】
第２の発明は、主被写体までの距離を測距する測距装置を有するカメラと、所定の複数の距離に対応したカメラの配光情報を記憶する配光情報記憶手段を有する電子機器システムにおいて、前記カメラの測距装置から得られた主被写体までの距離情報を通信し、前記距離情報に対応した閃光発光装置の配光特性情報に基づいて、撮影画像データの修正或るいは補正をかけるように作用する。
【００１０】
第３の発明は、主被写体までの距離を測距する測距装置を有するカメラと、所定の複数の距離に対応したカメラの配光情報を記憶する配光情報記憶手段を有する電子機器システムにおいて、前記カメラの測距装置から得られた主被写体までの距離情報を通信し、前記距離情報に対応した閃光発光装置の配光特性情報に基づいて、撮影画像データの修正或るいは補正をかけるように作用する。
【００１１】
第４の発明は、複数測距エリアの距離結果が主被写体であろうと判断された距離以外の測距エリアにおいて、距離情報が近い距離或いは遠い距離にある時、前記電子機器にて前記カメラ機種の配光情報記憶手段の情報に基づいて画像の補正或るいは修正する様に作用する。
【発明の効果】
【００１２】
以上説明したように、第１の発明は、撮像素子と、撮像素子より得られた撮影画像データを記憶する記憶手段と、主被写体画像の光量を測光する測光装置と、閃光発光装置と、撮影時の撮影情報を記憶する撮影情報記憶手段とを有するカメラと、前記カメラの撮影画像データの読み出し或いは、書き込みを行う通信手段と、前記カメラの撮影情報の読み出しを行う通信手段とを有する電子機器システムにおいて、前記カメラ側にて撮影された画像の撮影情報に基づいて画像の補正或いは、修正を行うように作用することで、カメラの小型化や、メモリー領域のデータ容量を少なくすることが出来る。
【００１３】
第２の発明は、主被写体までの距離を測距する測距装置を有するカメラと、所定の複数の距離に対応したカメラの配光情報を記憶する配光情報記憶手段を有する電子機器システムにおいて、前記カメラの測距装置から得られた主被写体までの距離情報を通信し、前記距離情報に対応した閃光発光装置の配光特性情報に基づいて、撮影画像データの修正或るいは補正をかけるように作用することで、主被写体の撮影距離に応じて異なる閃光発光装置の配光ムラの影響が出ないような画像を提供することが出来る。
【００１４】
第３の発明は、主被写体までの距離を測距する測距装置を有するカメラと、所定の複数の距離に対応したカメラの配光情報を記憶する配光情報記憶手段を有する電子機器システムにおいて、前記カメラの測距装置から得られた主被写体までの距離情報を通信し、前記距離情報に対応した閃光発光装置の配光特性情報に基づいて、撮影画像データの修正或るいは補正をかけるように作用することで、主被写体の距離と位置関係により中心の被写体も周辺にいる被写体に対しても閃光発光装置の配光ムラが出ないような画像を提供することが出来る。
【００１５】
第４の発明は、複数測距エリアの距離結果が主被写体であろうと判断された距離以外の測距エリアにおいて、距離情報が近い距離或いは遠い距離にある時、前記電子機器にて前記カメラ機種の配光情報記憶手段の情報に基づいて画像の補正或るいは修正する様に作用することで、各エリア毎での配光ムラが出ないような画像を提供することが出来る。
【００１６】
全てに係わり画像を扱うユーザーが簡単に取り扱える適正な画像補正装置を提供することが可能となる。
【発明を実施するための最良の形態】
【００１７】
（第１の実施例）
本発明の第１の実施例を最もよく表す図画は、図１、２、３であり、図１の１は、本発明のカメラを制御するＣＰＵ、２は、主被写体の輝度を検出する測光装置、３は、主被写体までの距離を測定する為の測距装置、４は、閃光発光装置、５は、主被写体の画像情報入力用撮像装置、６は、５の撮像素子より得られたデータをＡ／Ｄ変換し画像データに処理する為の画像処理装置、７は、本カメラの各種調整用に必要なデータを記憶する為の記憶装置、８は、撮影した画像データを記憶する為の画像データ記憶手段、９は、カメラと外部電子機器を通信する為のインターフェース、１０は、主カメラ動作の各種情報取得動作起動用の第１のストロークにてオンするところのスイッチ、１１は、主カメラ動作の撮影動作を行わせる為の起動用の第２のストロークにてオンするところのスイッチ、１２は、５の撮像素子に画像情報を与える為のシャッター、１３は、カメラの主撮影レンズ、１４は、１２のシャッターを制御する為のシャッター制御装置、１５は、外部電子機器側の制御をするＣＰＵ、１６は、あらかじめ設定してあるカメラ毎の情報を記憶するカメラ情報記憶手段、１７は、画像情報を各種メディア等に入出力する為の画像情報入出力手段、１８は、カメラ側と通信する為のインターフェースである。
【００１８】
図２は本発明の第１の実施例に関するカメラ側撮影動作の一連のシステムフローチャートであり順に説明する。
【００１９】
まず、本発明のカメラ動作シーケンスよりステップ１０１からカメラ主電源がオンされたところからスタートし、ステップ１０２でまず、撮影準備の情報入手の為の図１−１０のスイッチが主撮影者によりオンされたか否かを判断する。
【００２０】
オフのままであれば、このステップ１０２で図１−１０のスイッチがオンされるまでカメラ撮影動作待機状態となる。ここで図１−１０のスイッチがオンされると、カメラステップ１０３に進む。ステップ１０３では、図１−５の撮像素子に主被写体の画像光を入手する為の図１−１４のシャッター制御装置を使用し、図１−１２のシャッターを開ける。ステップ１０４では、図１−５の撮像素子上の画像情報を基に主被写体までの距離をレンズのフォーカス量で測定するＴＴＬ測距を行う。
【００２１】
ＴＴＬ測距方式については、従来から有るビデオカメラや電子スチルカメラの測距方式であり公知技術である為、ここでは述べない。
【００２２】
ステップ１０５では、ステップ１０４の測距データに基づいての焦点位置を変化させる為に図１−１３の主撮影レンズの駆動を行う。
【００２３】
ステップ１０６へ進み、主被写体の輝度を測定する測光を行う。ステップ１０７ではステップ１０６で得られた主被写体の輝度レベルが、あらかじめ設定してある明るさと比較し暗いと判断した時は、ステップ１０８へ進み、明るいと判断した時はステップ１０９へすすむ。ステップ１０８へ進むと主被写体の輝度が低い為、図１−４の閃光発光装置（ストロボ装置）への充電を行う。ステップ１０９へ進むと、再度図１−１０のスイッチの状態に変化が無いか否かを判断する。図１−１０のスイッチがオンのままの時は、ステップ１１０へ進み、図１−１０のスイッチがオフされている時は、主撮影者が撮影するのをやめたと判断し、ステップ１１７へ進む。ステップ１１７へ進むと、上記ステップ１０３〜１０９までのステップで得られた、主被写体までの距離情報及び主被写体の輝度情報をリセットし、最初のステップであるステップ１０１へ戻り、待機状態となる。
【００２４】
ステップ１１０へ進むと、図１−１１のスイッチの状態を確認し、主撮影動作を起動するか否かを判断する。ここで、図１−１１のスイッチがオフのままだと、再度ステップ１０３へ戻りステップ１０３からステップ１１０の動作を繰り返す。
【００２５】
図１−１１のスイッチがオンと判断すると、ステップ１１１へ進み撮影動作を開始する。
【００２６】
ステップ１１２では、撮影動作中の動作として図１−４の閃光発光装置にて主被写体に閃光発光を行う。上記ステップ１１１と１１２が閃光発光撮影時の動作である。
【００２７】
次にステップ１１３では、上記ステップ１０４、１０６、１０７で得られた撮影情報である測距データ、測光データ、閃光発光装置の発光の有無等を図１−８の画像データ記憶手段に保存する。
【００２８】
ステップ１１４では、撮影画像を図１−８の画像データ記憶手段に保存する。
【００２９】
このステップ１１３での撮影情報データと撮影画像データを画像と1対１で対応できるよう保存する。
【００３０】
次のステップ１１５でカメラ側撮影動作シーケンス終了となる。
【００３１】
次に図３は外部画像補正機器側の画像補正時におけるフローチャートを示し、このフローチャート順に補正方法を説明する。
【００３２】
図３のステップ２０１からスタートし、ステップ２０２でまず前記図２のフローチャートで撮影された画像データの入力先条件判断する。
【００３３】
入力条件判断にて、カメラとの直接通信を選択した場合は、ステップ２０３へ進み、各種記録メディアにて入力する場合を選択された場合は、ステップ２０４へ進む。
【００３４】
ステップ２０３へ進んだ場合は、外部電子機器側は、図１−１８のインターフェースを使用し、カメラ側は、図１−９のインターフェースを使用し直接カメラとデータ通信を行う。
【００３５】
ここで、撮影画像の取り込みと撮影情報の取り込みを行う。
【００３６】
ステップ２０４へ進んだ場合は、図１−１７の画像情報入出力手段を使用し各種記録メディアとの通信を行い画像及び、カメラ撮影情報を取り込む。
【００３７】
次にステップ２０５で、ステップ２０３と２０４で得られた撮影情報が有る画像か否かを判断する。撮影画像に対応した撮影情報がある場合は、ステップ２０６へ進み、無い場合は、ステップ２０９へ進む。
【００３８】
ステップ２０６へ進んだ場合は、画像の補正をするか否かを判断する。この判断は、機器を操作するユーザーが選択し決定する。
【００３９】
補正が許可された場合は、ステップ２０７へ進む。
【００４０】
ステップ２０７では、図１−１６のカメラ情報記憶手段にあらかじめカメラ機種毎に記憶してある画像補正用の読み出す。
【００４１】
例えば、カメラ毎に記憶してある閃光発光装置の発光量及び、照射配光補正データを読み出す。
【００４２】
ステップ２０８で、ステップ２０７で読み出した補正データと撮影条件データに応じて画像の補正を行う。
【００４３】
ステップ２０９では、画像を保存するか否かを判断する。これも外部電子機器の使用ユーザーにより選択が可能で、外部機器側の場合は、ステップ２１１へ進み図１−１７介して、画像補正前のデータ又は、画像補正後のデータを各種記録メディアに保存する。
【００４４】
カメラ側を選択した場合は、ステップ２１２へ進みデータをカメラへ通信する。
【００４５】
ステップ２１３では、カメラ側の記憶手段である図１−８の画像データ記憶手段に保存する。ステップ２１５で外部電子機器側での画像補正のシステムが終了する。
【００４６】
ここで実際の画像補正手法例を説明する。
【００４７】
図７は、カメラ毎の閃光発光装置のある一定方向の配光分布を示すグラフであり、図７−ａが機種Ａの配光分布、図７−ｂが機種Ｂの配光分布を示す。
【００４８】
機種Ａには、あらかじめａの配光情報をカメラの記憶手段に記憶しておき、機種Ｂには、あらかじめｂの配光情報をカメラの記憶手段に記憶しておく。
【００４９】
ここで、機種ａの時と考えると、撮影有効画素範囲では有効配光角度になりａの配光となる。通常周辺域での光量が中心光量と比較して約３０〜５０％程度が一般的であり、このような光量分布の時撮影画像は図７のような写真であり、中心人物はきれいに光が当っているが、周辺にいる人は光が当る量が少なくなり薄暗く撮影されてしまう傾向がある。それを補正する。
【００５０】
補正方法としては、図７に示すグラフに示す様に、有効画素範囲にて閃光発光装置の配光不足分をあらかじめ記憶していた配光情報に基づいて補正する。
【００５１】
図８―ａ‘がその補正量を表しこの分を補正する。
【００５２】
図８は一方向のみの補正量を表しているが、実際には、撮影画像の縦，横の画素配列マップを修正するように働く。
【００５３】
図９は、修正前の画像例を示し、画像中の中央部より少し周辺部αと周辺部βによって画像輝度が異なり、画角周辺になるほど薄暗くなるのを、図１０のように周辺の人物も中心にいる主被写体の人物同様適正な露出とすることが出来る。
【００５４】
第1の実施例を行うことで、各カメラ毎に設計されている閃光発光装置の発光量、配光分布により、撮影画像写真内の周辺部に写る人や物に対して好ましくない画像を適正な露出にする効果が得られる。
【００５５】
（第２の実施例）
本発明の第２の実施例を最もよく表す図画は、図１、図２，図４であり、図1のブロック図１及び、図２の基本システムフローチャートは同一構成であり、図４は、カメラを上方向から見たときの主被写体と閃光発光装置の配光照射関係を示す図であり、図３の１３は、閃光発光装置、１４は、カメラの主レンズである。
【００５６】
ここで異なるのは、ステップ２０７で読み出したデータの内、カメラ側の測距データに基づいて距離に対応した閃光発光装置の発光量及び照射配光の情報を読み出し、補正を行う。
【００５７】
あらかじめ記憶しておく配光情報の一例を示す。
【００５８】
図４で撮像素子受光面をカメラの基準位置とし、距離Ｌ１，Ｌ２，Ｌ３，Ｌ４の時、閃光発光装置の配光分布は、カメラと主被写体との距離関係により変化する。
【００５９】
この様子として、まず、カメラの主レンズ光軸上の位置と閃光発光装置の位置がＸ分だけレイアウト上ずれている。
【００６０】
この場合、Ｌ１の距離がカメラの最至近合焦位置をしめし、撮像素子上に閃光発光撮影されるのは、Ｌ１Ｒ＋Ｌ１Ｌ分の配光分布である。この時が主レンズ画角と閃光発光装置の配光のパララックスが最大となり、特にＬ１Ｒの方にかなりの分布がかかってしまう。これをあらかじめデータとして記憶しておき撮影画像データの補正を行う。
【００６１】
次に同様に、Ｌ２ポイントはＬ２Ｒ＋Ｌ２Ｌ分布データを用い、Ｌ３ポイントはＬ３Ｒ＋Ｌ３Ｌ分布データを用い、Ｌ４ポイントはＬ４Ｒ＋Ｌ４Ｌ分布データを用いて撮影画像データの補正を行う。Ｌ４ポイントは、閃光発光装置の最大到達距離を示しこれより遠い時は、補正するのを禁止する様に図２のステップ２０8にて処理を行う。
【００６２】
以上を行うことで、カメラ主レンズと閃光発光装置の位置の違いによるパララックスも考慮した精度よい、閃光発光撮影画像が得られる。
【００６３】
（第３の実施例）
本発明の第３の実施例を最もよく表す図画は、図1，図５，図６であり、図１は実施例１に説明した構成と同じであり、異なる点として、図１−３の測距装置が複数ある構成において、図５は、本発明の第３の実施例に関するシステムのフローチャートであり、図６は、本発明の第３の実施例に関する画像補正或いは画像修正する条件を示すシステムシーケンスフロチャートであり、図５のシステムフローチャート順に説明する。
【００６４】
まず、本発明のカメラ動作シーケンスよりステップ３０１からカメラ主電源がオンされたところからスタートし、ステップ３０２でまず、撮影準備の情報入手の為の図１−１０のスイッチが主撮影者によりオンされたか否かを判断する。
【００６５】
オフのままであれば、このステップ３０２で図１−１０のスイッチがオンされるまでカメラ撮影動作待機状態となる。ここで図１−１０のスイッチがオンされると、カメラステップ３０３に進む。ステップ３０３では、図１−５の撮像素子に主被写体の画像光を入手する為の図１−１３のシャッター制御装置により、図１−１２のシャッターを開ける。ステップ３０４では、図１−５の撮像素子上の画像情報を基に主被写体までの距離をレンズのフォーカス量で測定するＴＴＬ測距を画像の複数のエリアにて測距する。
【００６６】
複数の測距点でのＴＴＬ測距方式については、従来から有るビデオカメラや電子スチルカメラの測距方式であり公知技術である為、ここでは述べない。
【００６７】
ステップ３０５では、ステップ３０４で得られた測距データを各エリア毎に一時的に図１−１の中にあるＲＡＭに記憶する。
【００６８】
ステップ３０６では、実際に各測距エリアに主被写体がいるかを決定する測距点の選択を行う。
【００６９】
ステップ３０７では、ステップ３０４の測距データに基づいて図１−１３の撮影レンズの焦点位置を変化させる為にレンズの駆動を行う。
【００７０】
ステップ３０８では、主被写体の輝度を測定する測光を行う。
【００７１】
ステップ３０９ではステップ３０８で得られた主被写体の輝度レベルが、あらかじめ設定してある明るさと比較し暗いと判断した時は、ステップ３１０へ進み、明るいと判断した時はステップ３１１へすすむ。
【００７２】
ステップ３１０へ進むと主被写体の輝度が低い為、図１−４の閃光発光装置（ストロボ装置）への充電を行う。
【００７３】
ステップ３１１へ進むと、再度図１−１０のスイッチの状態に変化が無いか否かを判断する。図１−１０のスイッチがオンのままの時は、ステップ２１２へ進み、図１−１０のスイッチがオフされている時は、主撮影者が撮影するのをやめたと判断し、ステップ３１９へ進む。
【００７４】
ステップ３１９へ進むと、上記ステップ３０３〜３１１までのステップで得られた、主被写体までの距離情報及び主被写体の輝度情報をリセットし、最初のステップであるステップ３０１へ戻り、待機状態となる。
【００７５】
ステップ３１２へ進むと、図１−１１のスイッチの状態を確認し、主撮影動作を起動するか否かを判断する。ここで、図１−１１のスイッチがオフのままだと、再度ステップ１０３へ戻りステップ３０３からステップ３１２の動作を繰り返す。
【００７６】
図１−１１のスイッチがオンと判断すると、ステップ３１３へ進み撮影動作を開始する。
【００７７】
ステップ３１４では、撮影動作中の動作として図１−４の閃光発光装置にて主被写体に閃光発光を行う。上記ステップ３１３と３１４が閃光発光撮影時の動作である。
【００７８】
次にステップ３１５へ進み、ステップ３１５では、上記ステップ３０４、３０５、３０６３０８、３０９で得られた撮影情報である測距データ、測距点データ、測光データ、閃光発光装置の発光の有無等を図１−８の画像データ記憶手段に保存する。
【００７９】
ステップ３１６では、撮影画像を図１−８の画像データ記憶手段に保存する。
【００８０】
このステップ３１５、３１６での撮影情報データと撮影画像データを画像と1対１で対応できるよう保存する。
【００８１】
次のステップ３１７でカメラ側撮影動作シーケンス終了となる。
【００８２】
外部機器側の補正フローチャートは図３と同一であり、ステップ２０８での演算手法をここで説明する。
【００８３】
図６は外部機器側の補正演算手法を説明するフローチャートであり、順に説明する。
【００８４】
ステップ４０１でスタートし、ステップ４０２では、前記図５のステップ３０５で得られた各エリアの距離情報を比較する。
【００８５】
ここでは、３点のエリアのカメラについて説明するが、本来は何点でも同様な処理をする様に働く。
【００８６】
ステップ４０２では、まず前記図５−ステップ４０５を比較し、エリアＬ（左），エリアＣ（中央），エリアＲ（右）の距離が同一かどうかを判断する。
【００８７】
同一距離の場合はステップ４１４へ進み、どれか一つでも異なるとステップ４０３へ進む。
【００８８】
４１４では、閃光発光装置光量が補正出来る距離か否かを判断する。
【００８９】
距離の目安は、
距離（ｍ）＝閃光発光装置ＧＮＯ／カメラ主レンズＦＮＯ  ＩＳＯ１００感度相当にて計算することが出来この距離より遠いか近いかを判断する。
【００９０】
ここで、遠いと判断するとステップ４１６へ、補正可能範囲の場合はステップ４１５へすすむ。
【００９１】
ステップ４１６の場合は画像補正処理を行う。
【００９２】
ステップ４１５の場合は画像補正処理無しとなる。
【００９３】
上記ステップ４０２からステップ４０３に進んだときは、ステップ４０３では、測距点Ｒ，Ｃ，Ｌでどの距離が一番近い距離であったかを判断する。
【００９４】
Ｒが一番近いと判断した時、ステップ４０４、Ｃが一番近いと判断した時は、ステップ４０５、Ｌが一番近いと判断した時は、ステップ４０６へおのおの進む。
【００９５】
ステップ４０４のＲ選択時は、次にＬとＣを比較しＬ＜Ｃの距離関係に有る時は、ステップ４０８、そうではなく逆の時はステップ４０７へすすむ。
【００９６】
ステップ４０５のＣ選択時は、次にＬとＲを比較しＬ＜Ｒの距離関係に有る時は、ステップ４０９、そうではなく逆の時はステップ４１０へすすむ。
【００９７】
ステップ４０６のＬ選択時は、次にＣとＲを比較しＣ＜Ｒの距離関係に有る時は、ステップ４１１、そうではなく逆の時はステップ４１２へすすむ。
【００９８】
上記ステップ４０３〜ステップ４０６の判断において、決定された距離関係は、
ステップ４０７では、Ｒ＜Ｃ＜Ｌの位置関係となる。次に、ステップ４０８では、Ｒ＜Ｌ＜Ｃの位置関係となる。次に、ステップ４０９では、Ｃ＜Ｒ＜Ｌの位置関係となる。次に、ステップ４１０では、Ｃ＜Ｒ＜Ｌの位置関係となる。次に、ステップ４１１では、Ｌ＜Ｃ＜Ｒの位置関係となる。次に、ステップ４１２では、Ｌ＜Ｒ＜Ｃの位置関係となる。
【００９９】
ステップ４０７〜ステップ４１２で設定した距離関係からステップ４１３で、どの距離又は、どこの位置に主被写体がいる確率が高いかを演算し、そこの測距点を適正露出にするように決定する。
【０１００】
その後ステップ４１４へ進む。
【０１０１】
上記シーケンスでの実際の画像データ例を挙げ説明していく。
【０１０２】
測距点Ｌ（左），Ｃ（中央），Ｒ（右）の主被写体の距離が同一或いは、ほぼ同等の距離に有る時の画像例であり、閃光発光装置の配光特性からＬとＲの被写体は薄暗く撮影されてしまう。これを配光情報に基づいて第１の実施例同様に図８のような画像を図９のように画像補正を行う。
【０１０３】
図１１は、Ｃ（中央）に主被写体がいて左右のＬＲ点は距離が露出補正不可能な遠い時の画像である。このような時は、Ｃ（中央）のみのため、中央部の露出補正は行うが、ＬＲ周辺の配光補正は実施しない。
【０１０４】
図１２は測距点Ｌ（左），Ｃ（中央），Ｒ（右）の距離がおのおの異なる場合の画像例を示す。この時Ｃ（中央）部が近い距離、Ｒ（右）中間距離、Ｌ（左）が遠い距離の場合を示し、どの距離も閃光発光装置の発光光量が到達距離範囲内であるとき、おのおののエリアの距離情報に対応した閃光発光装置補正量を算出し補正を行う。
【０１０５】
基本的に閃光発光装置の発光量到達距離範囲内であれば、補正が可能な手法を用いる。
【０１０６】
又、図１３も各測距点の重み付けが変化しているのみで補正方法は同様である。
【０１０７】
補正不可能範囲（閃光発光装置の光の届かない距離）は画像補正を行わないようにする。
【０１０８】
以上が第３の実施例を説明したように、第３の実施例の効果として複数の測距点を有する測距装置を有し、その測距情報により閃光発光撮影時の画像に補正をかけ、ムラのない写真を提供することが出来る。
【図面の簡単な説明】
【０１０９】
【図１】本発明を最もよく表すブロック図。
【図２】本発明のカメラ側動作シーケンスフローチャート。
【図３】本発明の画像補正電子機器側動作シーケンスフローチャート。
【図４】カメラの主レンズと閃光発光装置の配光関係を表す図。
【図５】本発明の第３の実施例を示すシーケンスフローチャート。
【図６】本発明の画像補正判定を行うシーケンスフローチャート。
【図７】閃光発光装置の配光分布を表す図。
【図８】閃光発光装置の配光分布から設定される補正量を表す図。
【図９】撮影シーンを想定した画像例。
【図１０】撮影シーンを想定した画像例。
【図１１】撮影シーンを想定した画像例。
【図１２】撮影シーンを想定した画像例。
【図１３】撮影シーンを想定した画像例。
【符号の説明】
【０１１０】
１、１５  ＣＰＵ
２  測光装置
３  測距装置
４  閃光発光装置
５  撮像素子（ＣＣＤ，ＣＭＯＳセンサー等）
６  画像処理装置
７  データ記憶手段
８  画像データ記憶手段
９、１８  インターフェース
１０、１１  スイッチ
１２  シャッター
１３  撮影レンズ
１４  シャッター制御装置
１６  カメラ情報記憶手段
１７  画像情報入出力手段
【図１】
2005354167.tif 000003
【図２】
2005354167.tif 000004
【図３】
2005354167.tif 000005
【図４】
2005354167.tif 000006
【図５】
2005354167.tif 000007
【図６】
2005354167.tif 000008
【図７】
2005354167.tif 000009
【図８】
2005354167.tif 000010
【図９】
2005354167.tif 000011
【図１０】
2005354167.tif 000012
【図１１】
2005354167.tif 000013
【図１２】
2005354167.tif 000014
【図１３】
2005354167.tif 000015